(57)【要約】【課題】高いところの窓を自在に且つ簡単に拭くことができる雪下ろし兼用掃除具を提供する。【解決手段】本発明にかかる雪下ろし兼用掃除具１は、把持棒３と、掃除用ヘッドと、雪下ろし用ヘッド７とを備え、把持棒は長さが伸縮自在で且つ先端部１５を曲げてあり、掃除用ヘッド５と雪下ろし用ヘッド７は把持棒３の先端に取り付けるものであり、先端に取り付ける掃除用ヘッドと雪下ろし用ヘッドを取り換えることで、掃除用機能及び雪下ろし機能を備える。【選択図】図１
2020191956.tif 000002
【特許請求の範囲】
【請求項１】
把持棒と、掃除用ヘッドと、雪下ろし用ヘッドとを備え、把持棒は長さが伸縮自在で且つ先端部を曲げてあり、掃除用ヘッドと雪下ろし用ヘッドは把持棒の先端に取り付けるものであり、先端に取り付ける掃除用ヘッドと雪下ろし用ヘッドを取り換えることで、掃除用機能及び雪下ろし機能を備えることを特徴とする雪下ろし兼用掃除具。
【発明の詳細な説明】
【技術分野】
【０００１】
本発明は、雪下ろし兼用掃除具に関する。
【背景技術】
【０００２】
高いところにある窓は拭きにくく、三脚等を用いて拭くと転倒のおそれがあり危険であったことから、高いところの窓を自在に且つ簡単に拭けるものが求められていた。
【発明の概要】
【発明が解決しようとする課題】
【０００３】
そこで、本発明は、高いところの窓を自在に且つ簡単に拭くことができる雪下ろし兼用掃除具の提供を目的とする。
【課題を解決するための手段】
【０００４】
請求項１に記載の発明は、把持棒と、掃除用ヘッドと、雪下ろし用ヘッドとを備え、把持棒は長さが伸縮自在で且つ先端部を曲げてあり、掃除用ヘッドと雪下ろし用ヘッドは把持棒の先端に取り付けるものであり、先端に取り付ける掃除用ヘッドと雪下ろし用ヘッドを取り換えることで、掃除用機能及び雪下ろし機能を備えることを特徴とする雪下ろし兼用掃除具である。
【発明の効果】
【０００５】
請求項１に記載の発明によれば、先端に掃除用ヘッドを取り付けて使用することで、高いところの窓を自在に且つ簡単に拭くことができる。  
先端に掃除用ヘッドを取り付けて使用する場合に、先端部を曲げていることで、掃除用部分を窓に垂直に当て易いので、拭き掃除するときに押し付ける力を伝え易い。  
先端に雪下ろし用ヘッドを取り付けて使用する場合に、先端部を曲げていることで、カーポート等の簡易建物の屋根の上に雪下ろし用ヘッドが届き易くなり、雪下ろしがし易い。  
把持棒の先端に取り付けるヘッドを掃除用ヘッドと、雪下ろし用ヘッドとに変えることで、雪下ろし機能と掃除用機能があるので、一年中使うことができる。
【図面の簡単な説明】
【０００６】
【図１】本発明の実施の形態にかかる雪下ろし兼用掃除具であって、把持棒に掃除用ヘッドを取り付けた状態を示す斜視図である。
【図２】図１に示す雪下ろし兼用掃除具においてモップ材を除いて示す図であり、（ａ）は平面図、（ｂ）は一部を破断して示す側面図である。
【図３】本発明の実施の形態にかかる雪下ろし兼用掃除具であって、把持棒に雪下ろし用ヘッドを取り付けた状態を示す斜視図である。
【図４】図３に示す雪下ろし兼用掃除具の図であり、（ａ）は平面図、（ｂ）は一部を破断して示す側面図である。
【図５】モップ材を除いて示す掃除用ヘッドの図であり、（ａ）は平面図、（ｂ）は背面図、（ｃ）は側面図、（ｄ）は（ｂ）に示すＡ−Ａ断面図である。
【図６】モップ材の図であり、（ａ）は平面図、（ｂ）は正面図、（ｃ）は側面図である。
【図７】雪下ろし用ヘッドの図であり、（ａ）は側面図、（ｂ）は背面図である。
【図８】把持棒の先端部に、モップ材を除いた掃除用ヘッドを取り付ける前の状態を示す斜視図である。
【図９】掃除用ヘッドにおいて、モップ材を取り付ける前の状態を示す斜視図である。
【図１０】把持棒の先端部に、雪下ろし用ヘッドを取り付ける前の状態を示す斜視図である。
【図１１】把持棒の伸縮方法を示す図であって、（ａ）は固定具を緩める工程であり、（ｂ）は把持棒の長さを調整する工程の斜視図である。
【図１２】掃除用ヘッドを取り付けた雪下ろし兼用掃除具の使用状態を示す側面図である。
【図１３】雪下ろし用ヘッドを取り付けた雪下ろし兼用掃除具であって、把持棒を長くしたときの使用状態を示す側面図である。
【図１４】雪下ろし用ヘッドを取り付けた雪下ろし兼用掃除具であって、把持棒を短くしたときの使用状態を示す側面図である。
【発明を実施するための形態】
【０００７】
以下に、添付図面を参照して、本発明の実施の形態を説明する。  
図１及び図３に示すように、本発明の実施の形態にかかる雪下ろし兼用掃除具１は、把持棒３と、掃除用ヘッド５と、雪下ろし用ヘッド７とを備えている。  
図１に示すように、把持棒３は、メインパイプ３ａと、サブパイプ３ｂと、スライドストッパ３ｃを有し、サブパイプ３ｂはメインパイプ３ａの中空内を摺動自在としてあり、メインパイプ３ａから突出する長さが変更自在である。  
メインパイプ３ａはアルミニウム製の中空形材であり、サブパイプ３ｂもアルミニウム製の中空形材である。  
メインパイプ３ａには、その側面に所定間隔をあけて配置した係合孔９が側線に沿って一列に並んで形成してある。  
尚、メインパイプ３ａの後端にはエンドキャップ１１が嵌めてある。
【０００８】
サブパイプ３ｂは、メインパイプ３ａの先端から突設してあり、その引き出し量を調整することで、把持棒３を伸縮自在としている。  
サブパイプ３ｂは、メインパイプ３ａ内を摺動可能な直線状の摺動部１３と、先端部に設けた曲げ部（先端部）１５と、曲げ部１５よりも先の先端に設けたヘッド取付部１７とを備えている。  
図２（ｂ）にメインパイプ３ａの一部を破断して示すように、摺動部１３には、その後端部に長さ調整スプリング１９と、長さ調整スプリング１９により係合孔９から突出するように付勢された長さ調整ピン２１が設けてある。長さ調整スプリング１９は略Ｖ状形状を成す線状バネであり、一端がサブパイプ３ｂの後端部に固定してあり、他端に長さ調整ピン２１が固定されている。  
長さ調整ピン２１はメインパイプ３ａの係合孔９から突設した状態から、長さ調整スプリング１９の付勢力に抗して係合孔９に押し込みつつサブパイプ３ｂをスライドすることで、長さ調整ピン２１がメインパイプ３ａの内面に当接しながらサブパイプ３ｂの引き出し量が調整自在である。  
曲げ部１５は、湾曲状に形成して所定の角度Ｒで曲げてある。曲げ角度Ｒは例えば、３０度である。
【０００９】
図８に示すように、ヘッド取付部１７は、先端に開口１７ａが形成してあり、左右の側面にボルト挿入孔１７ｂが形成してあり、左右のボルト２２で、掃除用ヘッド５又は雪下ろしヘッド７を固定している。
【００１０】
図１１（ａ）に示すように、スライドストッパ３ｃは、メインパイプ３ａの先端に固定してあり、固定部２３と、把持部２５と、長さ調整ノブ２７とを備えている。  
固定部２３はネジでメインパイプ３ａの先端に固定してある。把持部２５は、サブパイプ３ｂを挟んでサブパイプ３ｂを把持している。  
長さ調整ノブ２７は、矢印Ｅで示すように、一方向に回して把持部２５を締付け、他方に回して把持部２５を緩める。
【００１１】
図８に示すように、掃除用ヘッド５は、モップ材取付部２９と、サブパイプ固定部３１と、モップ材３３（図９参照）を備えている。  
図５に示すように、モップ材取付部２９は、円筒状の芯材２９ａと、芯材２９ａの両端に固定するキャップ２９ｂを有している。図５（ｄ）に示すように、芯材２９ａの側面には、周方向に間隔をおいて設けた複数の滑り止め突起３５が形成されている。尚、図２、図８、図９において示す滑り止め突起３５の数は少なくして示している。  
サブパイプ固定部３１は、サブパイプ３ｂの先端に挿入されて、ボルト２２で固定されるものである。  
モップ材取付部２９及びサブパイプ固定部３１は、アルミニウム製形材でできている。
【００１２】
図９及び図６に示すように、モップ材３３は、モップ材取付部２９に装着して拭き掃除をする房状の雑巾であり、外側は起毛している。尚、図６において、二点鎖線で示すのは、起毛している部分である。図９に示すように、このモップ材３３は、モップ材取付部２９を収納する袋状をなし、一側に長手方向の一端から長手方向の略中央にかけて開口４１が形成されている。開口４１と反対側（長手方向の他端側）は開口がない袋状としてある。  
開口４１の互いに対抗する側には、互いに脱着自在に嵌合する嵌合部材４３ａと被嵌合部材４３ｂが取り付けてある。嵌合部材４３ａ及び被嵌合部材４３ｂは、例えば、弾性を持って嵌合するスナップボタンである。  
また、モップ材３３の開口４１側において、内側にはゴムバンド４５が取付けてある。ゴムバンド４５は環状を成しており、モップ材取付２９の芯材２９ａをゴムバンド４５の環に嵌めて取り付けるようにしてある（図１参照）。
【００１３】
雪下ろし用ヘッド７は、図１０に示すように、雪下ろし板４７と、サブパイプ固定部３１と、雪落としゴム４９とを備えている。  
雪下ろし板４７は、図７（ｂ）に示すように正面視矩形のアルミニウム製の板であり、下辺に雪落としゴム４９がネジ５１で固定されている。  
図７（ａ）に示すように雪下し板４７の略中央には、雪下し板４７の正面側と裏面側とにそれぞれ補強材４８が設けてあり、補強材４８を介してサブパイプ固定部３１がボルトで固定されている。
【００１４】
次に、本実施の形態にかかる雪下ろし兼用掃除具１の使用方法について説明する。  
まず、掃除具として使用する方法について説明する。  
図８に示すように、把持棒３において、サブパイプ３ｂのヘッド取付部１７に掃除用ヘッド５を取り付ける。  
掃除用ヘッド５の取付けは、ヘッド取付部１７の端から掃除用ヘッド５のサブパイプ固定部３１を挿入して、サブパイプ固定部３１の対向する両側面からボルト２２を螺合して、サブパイプ固定部３１をヘッド取付部１７に固定する。  
次に、図９に示すように、掃除用ヘッド５のモップ材取付部２９にモップ材３３を装着する。  
モップ材３３の装着は、モップ材３３の開口４１からモップ材取付部２９の一側を挿入した後、矢印Ｐで示すように、袋状部の端部側に押寄せた後、他側をゴムバンド４５に通す。  
その後、嵌合部材４３ａと被嵌合部材４３ｂを互いに嵌合により止める。
【００１５】
次に、必要に応じて把持棒３の長さを調整する。  
図１１（ａ）に示すように、スライドストッパ３ｃにおいて、把持棒３の長さ調整ノブ２７を回して緩め、図１１（ｂ）に示すように、メインパイプ３ａから突出する長さ調整ピン２１を、長さ調整スプリング１９（図２（ｂ）参照）に抗して指で押し込み、押し込んだ状態でサブパイプ３ｂをメインパイプ３ａから引き出し又は押し戻して、把持棒３の長さを長くしたり、短くして調整する。そして、調整した長さの位置で、長さ調整ピン２１を所定の位置の係合孔９から突設させる。  
例えば、図１２に示すように、窓５５が高い位置にある場合には、把持棒３の長さを長くして、モップ材３３が十分に届くように長さを長くする。
【００１６】
雪下ろし兼用掃除具１を雪下ろしに使用する場合には、図１０に示すように、把持棒３において、サブパイプ３ｂのヘッド取付部１７に雪下ろし用ヘッド７を取り付ける。  
雪下ろし用ヘッド７の取付けは、掃除用ヘッド５の取付けと同様に、ヘッド取付部１７に掃除用ヘッド５のサブパイプ固定部３１を挿入して、サブパイプ固定部３１の対向する両側面からボルト２２を螺合して、サブパイプ固定部３１をヘッド取付部１７に固定する（図３参照）。  
尚、サブパイプ３ｂに掃除用ヘッド５が取り付けてある場合には、掃除用ヘッド５を固定してあるボルトを緩めて、外してから図１０に示すように雪下ろしヘッド７を取り付ける。  
その後、把持棒３の長さを調整するが、把持棒３の長さの調整は、図１１に示すように、上述した掃除用ヘッド５を取り付けた場合と同様におこなう。  
例えば、図１３に示すように、カーポートの屋根５７に積もった雪Ｓの雪下ろしをする場合には、把持棒３を長くして、屋根の奥まで積もった雪Ｓを手前に引き下ろすようにして雪下ろしをする。  
また、図１４に示すように、家の軒先５９の雪降ろしをする場合には、把持棒３を短くして、軒下から雪を突き上げるようにして、雪おろしをしても良い。
【００１７】
次に、本発明の実施形態にかかる雪下ろし兼用掃除具１の作用効果について、説明する。  
図１２に示すように、雪下ろし兼用掃除具１によれば、把持棒３の先端部に掃除用ヘッド５を取り付けて使用することで、高いところの窓５５を自在に且つ簡単に拭くことができる。  
高い位置にある窓５５を掃除する場合には、把持棒３には曲げ部１５を設けて先端部を曲げていることで、窓５５に当たる当たり角度Ｒ２は、曲げていないときの当たり角度Ｒ１よりも大きくできるから、例えば、掃除用ヘッド５の掃除用部分（当接部分）を窓に垂直に当て易いので、窓を拭くときに擦る力（垂直方向の力）Ｆを伝え易い。  
雪下ろし兼用掃除具１は、ヘッドを掃除用ヘッド５（図１参照）と、雪下ろし用ヘッド７（図３参照）とに変えることで、雪下ろし機能と掃除用機能があるので、一年中使うことができる。  
図１３に示すように、先端に雪下ろし用ヘッド７を取り付けて使用する場合に、把持棒３は先端部に曲げ部１５を設けていることで、カーポート（簡易建物）の屋根５７の上に雪下ろし用ヘッド７が届き易くなり、雪下ろしがし易い。
【００１８】
把持棒３を構成するメインパイプ３ａとサブパイプ３ｂは、アルミニウム製の中空形材であり、雪下ろし用ヘッド７の雪下ろし板４７及びサブパイプ固定部３１はアルミニウム製であり、掃除用ヘッド５のモップ材取付部２９及びサブパイプ固定部３１もアルミニウムであるから、雪下ろし兼用掃除具１全体が、安価で軽い。  
掃除用ヘッド５のモップ材取付部２９の芯材２９ａには、周方向に間隔をおいて設けた複数の滑り止め突起３５が形成されているから、モップ材３３のずれを防止できる。
【００１９】
把持棒３は、メインパイプ３ａとメインパイプ３ａ内を摺動するサブパイプ３ｂとを備え、長さ調整ピン２１をメインパイプ３ａに設けた係合孔９に押し込んでサブパイプ３ｂをスライドさせて長さを調整し、係合孔９から長さ調整ピン２１を突設させて固定しているから、調整した長さでしっかり固定できる。  
係合孔９はメインパイプ３ａの長手方向に間隔をあけて複数設けているので、多様の長さに調整でき使い勝手が良い。  
モップ材３３は、一部に開口４１を形成した袋状としてあり、内側にはモップ材取付部２９に嵌めるゴムバンド４５を固定してあるから、モップ材３３をしっかりと固定できる。  
モップ材３３は、モップ材取付部２９から脱着自在であるから、モップ材３３のみを外して水洗いできる。
【００２０】
本発明は、上述した実施の形態に限らず、本発明の要旨を逸脱しない範囲で種々変形可能である。  
例えば、掃除用ヘッド５は、モップ材（房状の雑巾）に限らず、房の無い面状の雑巾であっても良い。  
雪下ろし兼用掃除具１を雪下ろしに用いるときには、カーポートの屋根の雪下しに用いることに限らず、サイクルポートやベランダ等の他の簡易建物の屋根の雪下ろしに用いても良い。  
雪下ろし兼用掃除具１を掃除具として用いるときには、窓掃除に用いることに限らず、カーポートの屋根の内側を拭き掃除する掃除具として用いても良い。
【符号の説明】
【００２１】
１    雪下ろし兼用掃除具
３    把持棒
５    掃除用ヘッド
７    雪下ろし用ヘッド
１５  曲げ部（先端部）
【図１】
2020191956.tif 000003
【図２】
2020191956.tif 000004
【図３】
2020191956.tif 000005
【図４】
2020191956.tif 000006
【図５】
2020191956.tif 000007
【図６】
2020191956.tif 000008
【図７】
2020191956.tif 000009
【図８】
2020191956.tif 000010
【図９】
2020191956.tif 000011
【図１０】
2020191956.tif 000012
【図１１】
2020191956.tif 000013
【図１２】
2020191956.tif 000014
【図１３】
2020191956.tif 000015
【図１４】
2020191956.tif 000016